(57)【要約】【課題】屋外設置型燃料タンクに設けられている、給油口、油量計、通気管等から、燃料を抜き取ることを有効に防止することができる燃料防盗装置、およびこれを備えた燃料用タンクを提供する。【解決手段】  屋外設置形燃料用タンク１において、燃料タンクの上部に設けられた油量計３又は通気管４の少なくとも一方と給油口２の両者に、燃料防盗装置を施してなることを特徴とする燃料用タンク。【選択図】      図１
2010083552.tif 000002
【特許請求の範囲】
【請求項１】
屋外設置型燃料用タンクの給油口に、有孔円筒管を傾斜可能に挿入してなることを特徴とする燃料用タンクの給油口における燃料防盗装置。
【請求項２】
屋外設置型燃料用タンクの給油口に、上端周縁に鍔部を設けるとともに、この鍔部の下方における上部に上方への抜止め用折り返し片を設け、かつ底部に燃料用吸引チューブが挿入不可能な邪魔板を取り付けた有孔円筒管を挿入してなる請求項１記載の燃料防盗装置。
【請求項３】
屋外設置型燃料用タンクの給油口に挿入する有孔円筒管を、２枚の半割管を抱き合わせて、円筒管を形成するとともに、前記円筒管の上端周縁に上下二段の鍔部を形成し、かつ半割管の内部に拡径手段を設けて、円筒管の上部が拡径しうるように半割管の下端部同士を連結して、前記拡径手段によって円筒管の上部を拡径させることにより、前記二段の鍔部の間で給油口の周縁部を保持した請求項１記載の燃料防盗装置。
【請求項４】
屋外設置型燃料用タンクの給油口に、上端周縁に鍔部を有し、下部を閉塞してなる金網製円筒管を挿入し、かつ前記鍔部を給油口の周縁に固着した請求項１記載の燃料防盗装置。
【請求項５】
屋外設置型燃料用タンクの油量計の口金の上面に配設された閉塞板の下面に、この閉塞板の直径方向の一端位置において、口金の下面を係止する係止片を設けて、この係止片と閉塞板をもって口金を挾持するとともに、直径方向の他端位置において、キーの開閉操作により、口金の下面を係止し、かつこの係止を解除しうるキー装置を取り付けてなる燃料タンクの油量計における燃料防盗装置。
【請求項６】
屋外設置型燃料用タンクの通気管の管路に金網又は複数の孔を設けた板体を管路を閉塞するように配設してなる燃料タンクの通気管における燃料防盗装置。
【請求項７】
屋外設置形燃料用タンクにおいて、燃料タンクの上部に設けられた油量計又は通気管の少なくとも一方と給油口の両者に、燃料防盗装置を施してなることを特徴とする燃料用タンク。
【請求項８】
燃料防盗装置が、請求項１〜６のいずれかである請求項７記載の燃料用タンク。
【発明の詳細な説明】
【技術分野】
【０００１】
原油価格の高騰に伴い、燃料用タンクから燃料を抜き取る盗難が増加している。  本発明は、この燃料の盗難を防止するための燃料防盗装置およびこの燃料防盗装置を備えた燃料タンクに関する。
【背景技術】
【０００２】
従来のこの種の装置としては、燃料の盗難によく使われる燃料吸引チューブが、挿入出来ないように、網や横棒等の進入阻止手段を施した燃料盗難防止用キャップを給油口等に嵌めたり、給油口等に施錠手段を設けたりしたものが一般的である(例えば特許文献１または２参照)。
【特許文献１】特開平１１−１０００６０号公報
【特許文献２】特開２００８−６４３６９号公報
【０００３】
しかし、特許文献１に記載のものは、円筒の長さが浅いと給油ガンが挿入出来ず、うまく給油が出来なかったり、オートストップ機能が働かない虞があり、特許文献２に記載のものは、では留守中に燃料の供給が出来ない、また保護カバーは破壊され易くこれにより盗難が可能となるという問題があった。
【発明の開示】
【発明が解決しようとする課題】
【０００４】
本発明は、屋外設置型燃料タンクに設けられている、給油口、油量計、通気管等から、燃料を抜き取ることを有効に防止することができるとともに、従来の前記した問題が生じない燃料防盗装置、およびこれを備えた燃料用タンクを提供することを目的とする。
【課題を解決するための手段】
【０００５】
本発明は、屋外設置型燃料タンクに設けられている、給油口、油量計、通気管等から、燃料を抜き取ることを防止するために考えられたもので、その具体的な解決手段は、次の通りである。
【０００６】
(１)  屋外設置型燃料用タンクの給油口に、有孔円筒管を傾斜可能に挿入してなることを特徴とする燃料用タンクの給油口における燃料防盗装置とする。
【０００７】
(２)  前記（１）項において、屋外設置型燃料用タンクの給油口に、上端周縁に鍔部を設けるとともに、この鍔部の下方における上部に上方への抜止め用折り返し片を設け、かつ底部に燃料用吸引チューブが挿入不可能な邪魔板を取り付けてなる有孔円筒管を挿入する。
【０００８】
(３)  前記（１）項において、屋外設置型燃料用タンクの給油口に挿入する有孔円筒管を、２枚の半割管を抱き合わせて、円筒管を形成するとともに、前記円筒管の上端周縁に上下二段の鍔部を形成し、かつ半割管の内部に拡径手段を設けて、円筒管の上部が拡径しうるように半割管の下端部同士を連結して、前記拡径手段によって円筒管の上部を拡径させることにより、前記二段の鍔部の間で給油口の周縁部を保持する。  
【０００９】
(４)  前記（１）項において、屋外設置型燃料用タンクの給油口に、上端周縁に鍔部を有し、下部を閉塞してなる金網製円筒管を挿入し、かつ前記鍔部を給油口の周縁に固着する。
【００１０】
(５)  屋外設置型燃料用タンクの油量計の口金の上面に配設された閉塞板の下面に、この閉塞板の直径方向の一端位置において、口金の下面を係止する係止片を設けて、この係止片と閉塞板をもって口金を挾持するとともに、直径方向の他端位置において、キーの開閉操作により、口金の下面を係止し、かつこの係止を解除しうるキー装置を取り付けてなる燃料タンクの油量計における燃料防盗装置とする。
【００１１】
(６)  屋外設置型燃料用タンクの通気管の管路に金網又は複数の孔を設けた板体を管路を閉塞するように配設してなる燃料タンクの通気管における燃料防盗装置とする。
【００１２】
(７)  屋外設置形燃料用タンクにおいて、燃料タンクの上部に設けられた油量計又は通気管の少なくとも一方と給油口の両者に、燃料防盗装置を施してなることを特徴とする燃料用タンクとする。
【００１３】
(８)  燃料防盗装置が、前記（１）〜（６）のいずれかである前記（７）記載の燃料用タンクとする。
【発明の効果】
【００１４】
請求項１の発明によると、有孔円筒管が傾斜可能であるため給油ガンの先端を確実に挿入・保持出来、オートストップ等給油ガンの機能を十分活用できる。
【００１５】
請求項２の発明によると、単に給油口から有孔円筒管を挿入するだけで、簡単に防盗装置を取り付けることができる。
【００１６】
請求項３の発明によると、拡径手段の操作により、有孔円筒管の着脱が容易に行うことができる。
【００１７】
請求項４の発明によると、有孔円筒管を金網製円筒管で形成してあるので、円筒管の上端周縁の鍔部を給油口の周縁に固定しても、金網で形成されているため給油ガンの先端を挿入しても傾斜し、給油ガンの機能を十分発揮できる。
【００１８】
請求項５の発明によると、油量計取付部からの燃料盗難を有効に防止できる。
【００１９】
請求項６の発明によると、通気管からの燃料盗難を有効に防止できる。
【００２０】
請求項７の発明によると、給油口だけでなく、油量計又は通気管の少なくとも一方に燃料の防盗手段が施してあるので、燃料の盗難をより完全に防止することができる。
【００２１】
請求項８の発明によると、給油口だけでなく、油量計又は通気管の少なくとも一方に燃料の防盗手段が施してあるので、燃料の盗難をより完全に防止することができる。
【発明を実施するための最良の形態】
【００２２】
以下、本発明を実施形態を挙げて、添付図面を参照し乍ら説明する。
図１に示すように、屋外設置型燃料タンク１には、上部に給油口２、油量計３、通気管４が、下部には送油口５が設けられている。
【００２３】
給油口に取り付ける図２に示す燃料防盗装置は、金属製又は合成樹脂製の有孔円筒管６の上端部に鍔部７を設け、給油口の周縁部８で保持されるようになっている。
【００２４】
有孔円筒管６の上部には、ばね状の外側への返しにより、上方への抜止めのための抜止め用折り返し片９が設けられており、給油口から有孔円筒管６を挿入すると有孔円筒管６は、抜止め用折り返し片９により、上方に抜けないようになっている。
【００２５】
有孔円筒管６の下部は、燃料の吸引チューブをタンク内に進入し得ないように、板状の邪魔板10により、閉塞されている。
【００２６】
邪魔板10は、吸引チューブが燃料タンクの内部に進入し得ないようになっていればよく、板状、金網状、小孔板等のいずれであっても良い。
【００２７】
有孔円筒管６の周壁には小窓11が設けられており、給油口より、供給される燃料をタンク内に貯留出来るようになっている。
【００２８】
有孔円筒管６の周壁には小窓11に換えて、あるいは同時に多数の小孔（図示省略）が設けられている。
【００２９】
給油する際には、蓋12を取り外し、給油タンクのホースあるいは給油ガンの先端を有孔円筒管６内に挿入し、給油することができる。
【００３０】
この際、給油ガンが有効に機能するように、想像線で示すごとく、有孔円筒管６は傾斜するようになっており、給油ガンを人が保持しなくても給油出き、給油ガンのオートストップ機能等も支障なく活用することができる。
【００３１】
吸引チューブ等を用いて燃料を吸引しようとすると、吸引チューブは有孔円筒管６内よりタンク内に進入することが出きず、有孔円筒管６の邪魔板10より上位の燃料しか吸引することは出きない。
【００３２】
図３〜図６は、他の実施例を示し、燃料用タンクの給油口に挿入する有孔円筒管を、２枚の半割管13a,13bを抱き合わせて、円筒管13を形成し、前記円筒管13の上端周縁に二段の鍔部14a,14bを形成し、半割管の内部に拡径手段を設けて、円筒管13の上部が拡径しうるように半割管の下端部同士をピン15で連結してあり、前記拡径によって、前記二段の鍔部14a,14bの間で給油口の周縁部８を保持しうるようになっている。
【００３３】
反割管13a,13bの下部には図５に示す様に、縦長孔16a,16bが設けられており、山折り円盤状の開脚板17の下端部に設けられた固定片17a,17bが挿入できるようになっている。
【００３４】
山折り円盤状の開脚板17の中心の孔にボルト18を挿通し、ピン15の軸19に設けた雌ねじ孔20に螺合することができ、ボルト18の頭部21の六角形の凹部に、図６で示す六角形の断面を有するＬ型治具22を差し込み、回転させることにより、開脚板17が開脚し、円筒管13の上部が拡径するようになっている。
【００３５】
円筒管13の上部を縮径するには上記治具22を逆回転すればよい。
なお簡単に円筒管を外せないように、山折り円盤状の開脚板17とほぼ同様な形状を有する目隠板23が開脚板17の上部に取り付けられており、目隠板23の中心に設けられた孔24を通してＬ型治具22により上述の拡径・縮径の操作を行うようになっている。
【００３６】
図７〜図１０は、他の実施例を示し、燃料用タンクの給油口に挿入する有孔円筒管を、２枚の半割管25a,25bを抱き合わせて、円筒管25を形成し、前記円筒管25の上端周縁に二段の鍔部26a,26bを形成し、半割管の内部に拡径手段を設けて、円筒管25の上部が拡径しうるように半割管の下端部を半月状の底板27に固着し、底板27同士を蝶番28で連結してある。前記拡径により、前記二段の鍔部26a,26bの間で給油口の周縁部８を保持しうるようになっている。
【００３７】
反割管25a,25bは、図９に示す様に、上方には小孔29が下方には、小窓30が設けられており、下端部には、底板取付け片31が、設けられており、底板27の周縁部に溶接等により、固着するようになっている。また底板取付け片31の上方には抜止め片32が形成されており、円筒状にした際、内側へ折曲されるようになっている。
【００３８】
上述の円筒管25を給油口２に挿入し、給油口の周縁部８を鍔部26aと鍔部26bの間に位置させた状態で、工業用錠前33を円筒管25に挿入することにより、円筒管25の上部が拡径するようになっている。
【００３９】
工業用錠前33は、楕円形の取付板34に取り付けられており、取付板34の長手方向の寸法が、ほぼ周縁部８の内径と一致しているため、円筒管25は周縁部８に摺動可能に固定されるようになっている。
取付板34は円筒管25内で突っ張り状態で固定されており、工業用錠前33のキー操作により、止め金35が９０度回転するようになっている。
【００４０】
工業用錠前33を挿入する際は、取付板34と止め金35は同方向の状態で挿入し、キー操作で止め金35を９０度回転させると、止め金35は抜止め片32により上方への移動は出きなくなっている。
【００４１】
キー36には、図１０で示す様に、治具37が溶接等により固定されており、給油口２より、キー36付きの治具37を挿入し、工業用錠前33を操作し、引き出すことにより、円筒管25からの工業用錠前33の脱着が可能である。
【００４２】
図１１は他の実施例を示す正面図である。
燃料用タンクの給油口に挿入する有孔円筒管を、筒状の金網製とし、上端周縁に鍔部39を取付け、下部を針金40等により閉塞した例である。
【００４３】
本実施例によれば、給油口２の周縁部８に、鍔部39を溶接等により、固着してあり、金網製であるので給油ガンを挿入した際、給油ガンの先端とともに傾斜可能であり、吸引チューブの挿入も金網に阻止されて、タンク内へは挿入することは出きない。
【００４４】
図１２及び図１３図は、油量計における燃料の防盗装置を示す、部分正面図及び閉塞板の平面図である。
油量計３の口金41の上面に配設された閉塞板42の下面に、この閉塞板42の直径方向の一端位置において、口金41の下面を係止する係止片44を設けて、この係止片44と閉塞板42をもって口金41を挾持するとともに、直径方向の他端位置において、キーの開閉操作により、口金の下面を係止し、かつこの係止を解除しうるキー装置45が取り付けてある。
【００４５】
係止片44とキー装置45の係止片45aが直径方向に直線状になった時は施錠状態となり閉塞板42は口金41から外すことはできない。
【００４６】
キー装置45を解除すれば係止片44のみが口金41の裏面を係止することになるので、少し閉塞板42をずらせば簡単に閉塞板42を口金41から取外すことが出きる。
【００４７】
なお油量計３は、透明なプラスチック製保護カバー46を被せてあり、保護カバー46には目盛り47が付してあり、フロート43の高さにより、タンク内の油量が判るようになっている。
【００４８】
図１４〜図１７は、通気管における燃料の防盗装置に関する図であり、図１４は、燃料タンクの通気管の取付部を示す一部断面正面図であり、図１５〜図１７は、防盗装置を構成する金属板の平面図である。
【００４９】
通気管４は、通常燃料タンクの上面にねじ込み式で取り付けられていることが多い。
したがって、通気管を取り外し、吸引チューブを差し込めば、簡単に燃料を盗むことが可能である。
【００５０】
そこで、通気管４の管路に金網又は複数の孔を設けた金属板47を取り付けて吸引チューブ等がタンク内に挿入出きないようにしたものである。
【００５１】
図１５は、金網を取り付けた金属板47を示す例である。
【００５２】
図１６は、複数の孔を設けた金属板48を示す例である。
【００５３】
図１７は、半月状の孔を設けた金属板49を示す例である。
【００５４】
図１４〜図１７は、通気管４の管路に金網又は複数の孔を設けた金属板を取り付ける例を示したが、タンク本体における通気管４の管路に直接金網又は複数の孔を設けてもよい。
【図面の簡単な説明】
【００５５】
【図１】本発明の燃料タンクの正面図である。
【図２】給油口における防盗装置の一実施形態を示す正面図である。
【図３】給油口における防盗装置の他の実施形態を示す正面図である。
【図４】図３における底面図である。
【図５】図３における側面図である。
【図６】図３に示す実施形態における治具を示す正面図である。
【図７】給油口における防盗装置の他の実施形態を示す正面図である。
【図８】図７における平面図である。
【図９】図７における半割管の展開図である。
【図１０】図７に示す実施形態における治具を示す正面図である。
【図１１】給油口における防盗装置の他の実施形態を示す正面図である。
【図１２】油量計における防盗装置の一実施形態を示す部分正面図である。
【図１３】図１２における閉塞板の平面図である。
【図１４】通気管における防盗装置の一実施形態を示す一部断面正面図である。
【図１５】金網を取り付けた金属板を示す平面図である。
【図１６】複数の孔を設けた金属板を示す平面図である。
【図１７】半月状の孔を設けた金属板を示す平面図である。
【符号の説明】
【００５６】
１  燃料タンク
２  給油口
３  油量計
４  通気管
５  送油口
６  有孔円筒管
７  鍔部
８  周縁部
９  抜止め用折り返し片
１０  邪魔板
１１  小窓
１２  蓋
１３  円筒管
13a,13b半割管
１４  鍔部
14a,14b摺動体
１５  ピン
16a,16b上向き突片
１７  開脚板
17a,17b固定片
１８  ボルト
１９  軸
２０  雌ねじ孔
２１  頭部
２２  Ｌ型治具
２３  目隠板
２４  孔
２５  円筒管  
26a,26b  鍔部
２７  底板
２８  蝶番
２９  小孔
３０  小窓
３１  板取付け片
３２  抜止め片
３３  工業用錠前
３４  取付板
３５  止め金
３６  キー
３７  治具
３８  有孔円筒管
３９  鍔部
４０  針金
４１  口金
４２  閉塞板
４３  フロート
４４  係止片
４５  キー装置
４５ａ係止片
４６  保護カバー
４７  金属板
４８  金属板
４９  金属板
【図１】
2010083552.tif 000003
【図２】
2010083552.tif 000004
【図３】
2010083552.tif 000005
【図４】
2010083552.tif 000006
【図５】
2010083552.tif 000007
【図６】
2010083552.tif 000008
【図７】
2010083552.tif 000009
【図８】
2010083552.tif 000010
【図９】
2010083552.tif 000011
【図１０】
2010083552.tif 000012
【図１１】
2010083552.tif 000013
【図１２】
2010083552.tif 000014
【図１３】
2010083552.tif 000015
【図１４】
2010083552.tif 000016
【図１５】
2010083552.tif 000017
【図１６】
2010083552.tif 000018
【図１７】
2010083552.tif 000019